(57)【特許請求の範囲】
【請求項１】
物体側から像側へ順に、正の屈折力の第1レンズ群、負の屈折力の第2レンズ群、3以上のレンズ群を含む後群より構成され、
前記第2レンズ群よりも像側に開口絞りを有し、ズーミングに際して前記第2レンズ群と前記後群を構成する少なくとも1つのレンズ群が移動することにより、隣り合うレンズ群の間隔が変化するズームレンズにおいて、
前記第2レンズ群は負の屈折力の屈折光学素子j1を有し、該屈折光学素子j1の材料のアッベ数と部分分散比を各々νdj1、θgFj1、前記屈折光学素子j1の焦点距離をfj1、前記第2レンズ群の焦点距離をf2、前記屈折光学素子j1の材料の異常部分分散比ΔθgFj1を
ΔθgFj1=θgFj1-(-0.001682νdj1+0.6438)
とするとき、
0<θgFj1-(-1.7×10-7×νdj13＋5.3×10-5×νdj12-5.7×10-3×νdj1＋0.76)<0.4
0.5×10-3<ΔθgFj1/νdj1×f2/fj1<2.0×10-3
なる条件を満足することを特徴とするズームレンズ。
【請求項２】
前記第1レンズ群は正の屈折力の屈折光学素子j2を有し、該屈折光学素子j2の材料のアッベ数と部分分散比を各々νdj2、θgFj2、前記屈折光学素子j2の焦点距離をfj2とするとき、
65<νdj2<100 
0<θgFj2-(-1.6×10-3×νdj2+0.64)<0.4
-1.3<fj2/fj1<-0.6
なる条件を満足することを特徴とする請求項１に記載のズームレンズ。
【請求項３】
前記第2レンズ群は負の屈折力の屈折光学素子j3を有し、該屈折光学素子j3の材料のアッベ数をνdj3、前記屈折光学素子j3の焦点距離をfj3とするとき、
50<νdj3<100
0.1<(fj3/fj1)<0.4
なる条件を満足することを特徴とする請求項１又は２に記載のズームレンズ。
【請求項４】
前記後群は、物体側から像側へ順に、負の屈折力の第3レンズ群、正の屈折力の第4レンズ群、正の屈折力の第5レンズ群、正の屈折力の第6レンズ群からなり、ズーミングに際して前記第3レンズ群乃至第6レンズ群が移動することを特徴とする請求項1乃至3のいずれか1項に記載のズームレンズ。
【請求項５】
前記後群は、物体側から像側へ順に、正の屈折力の第3レンズ群、負の屈折力の第4レンズ群、正の屈折力の第5レンズ群からなり、ズーミングに際して前記第3レンズ群乃至第5レンズ群が移動することを特徴とする請求項1乃至3のいずれか1項に記載のズームレンズ。
【請求項６】
請求項1乃至5のいずれか1項に記載のズームレンズと、該ズームレンズによって形成された像を受光する撮像素子を有することを特徴とする撮像装置。
【発明の詳細な説明】
【技術分野】
【０００１】
本発明は、ズームレンズ及びそれを有する撮像装置に関し、特にデジタルカメラ、ビデオカメラ、ＴＶカメラ、監視用カメラ、銀塩写真用カメラなどに好適なものである。
【背景技術】
【０００２】
近年、ＴＶカメラやデジタルカメラ、そしてビデオカメラなどの撮像装置に用いられる撮影レンズには全ズーム範囲にわたり高い光学性能を有するズームレンズであることが要求されている。また、撮影領域の拡大のため、高ズーム比（高変倍比）であることが望まれている。全ズーム範囲にわたり高い光学性能を得るには球面収差、コマ収差などの単色（単波長）の諸収差の補正に加え、色収差を良好に補正することが重要になってくる。
【０００３】
特に高ズーム比で望遠側の焦点距離の長い望遠型のズームレンズでは、色収差の補正として、1次の色消しに加え、2次スペクトルを良好に補正することが重要である。高ズーム比のズームレンズとして、最も物体側に正の屈折力のレンズ群を配置した、所謂ポジティブリードタイプのズームレンズが知られている。ポジティブリードタイプのズームレンズとして第1レンズ群のレンズの材料に異常分散材料を使用し、色収差（2次スペクトル）を良好に補正したズームレンズが知られている（特許文献1）。
【０００４】
また物体側より順に、正、負、正、負、正の屈折力のレンズ群より成る5群構成のズームレンズにおいて第1レンズ群に異常分散性を有する材料より成るレンズを用いたズームレンズが知られている（特許文献2）。また物体側より順に、正、負、正、負、正の屈折力のレンズ群より成る5群構成のズームレンズにおいて第2レンズ群に、部分分散比が高く低分散の材料よりなるレンズを用いて色収差を補正したズームレンズか知られている（特許文献3）。
【０００５】
一方、負の屈折力のレンズ群が先行するネガティブリード型の負、正、正の屈折力の第1〜第3レンズ群よりなるズームレンズにおいて、第2群に部分分散比が高く、高分散の材料よりなるレンズを用いたズームレンズが知られている（特許文献4）。
【先行技術文献】
【特許文献】
【０００６】
【特許文献１】特開2002-62478号公報
【特許文献２】特開2006-349947号公報
【特許文献３】特開2003-255228号公報
【特許文献４】特開2008-233161号公報
【発明の概要】
【発明が解決しようとする課題】
【０００７】
ポジティブリード型のズームレンズは、高ズーム比化を図ることが比較的容易である。しかしながらポジティブリード型のズームレンズにおいて、高ズーム比化を図ると望遠側のズーム領域において軸上色収差の2次スペクトルが多く発生してくる。ポジティブリード型のズームレンズにおいて、高ズーム比化を図りつつ全ズーム範囲にわたり高い光学性能を得るには色収差、特に1次の色収差の他に2次スペクトルを軽減することが重要になってくる。
【０００８】
色収差や2次スペクトルを低減させるにはズームレンズ中の適切な位置に低分散かつ異常分散性の材料より成るレンズを用いるのが有効である。また色収差に関しては、材料特性（アッベ数や部分分散比）を基に、それらの材料よりなるレンズが含まれるレンズ群の屈折力を最適化することが重要になってくる。例えば比較的高ズーム比のズームレンズでは広角側での倍率色収差と望遠側での倍率色収差が逆向きに発生する傾向がある。この場合には主光線の入射高が大きく変化する第2レンズ群に色収差の補正効果が高い硝材より成るレンズを配置するのが良い。
【０００９】
例えば前述したポジティブリード型のズームレンズでは正の屈折力の第1レンズ群と負の屈折力の第2レンズ群を構成する各レンズの材料を適切に設定するのが重要で、これらのレンズの材料が不適切であると2次の倍率色収差を軽減するのが困難となる。この結果、全ズーム範囲にわたり高い光学性能を得るのが困難になってくる。
【００１０】
本発明は、ポジティブリード型のズームレンズにおいて、2次の倍率色収差を軽減することができ、高ズーム比でズーム全域で良好な光学特性が得られるズームレンズ及びそれを有する撮像装置の提供を目的とする。
【課題を解決するための手段】
【００１１】
本発明のズームレンズは、物体側から像側へ順に、正の屈折力の第1レンズ群、負の屈折力の第2レンズ群、3以上のレンズ群を含む後群より構成され、
前記第2レンズ群よりも像側に開口絞りを有し、ズーミングに際して前記第2レンズ群と前記後群を構成する少なくとも1つのレンズ群が移動することにより、隣り合うレンズ群の間隔が変化するズームレンズにおいて、
前記第2レンズ群は負の屈折力の屈折光学素子j1を有し、該屈折光学素子j1の材料のアッベ数と部分分散比を各々νdj1、θgFj1、前記屈折光学素子j1の焦点距離をfj1、前記第2レンズ群の焦点距離をf2、前記屈折光学素子j1の材料の異常部分分散比ΔθgFj1を
ΔθgFj1=θgFj1-(-0.001682νdj1+0.6438)
とするとき、
0<θgFj1-(-1.7×10-7×νdj13＋5.3×10-5×νdj12-5.7×10-3×νdj1＋0.76)<0.4
0.5×10-3<ΔθgFj1/νdj1×f2/fj1<2.0×10-3
なる条件を満足することを特徴としている。
【発明の効果】
【００１２】
本発明によれば、2次の倍率色収差を軽減することができ、高ズーム比でズーム全域で良好な光学特性が得られるズームレンズ及びそれを有する撮像装置が得られる。
【図面の簡単な説明】
【００１３】
【図１】実施例１のズームレンズの広角端のレンズ断面図
【図２】（Ａ）、（Ｂ）、（Ｃ）実施例１の広角端、中間のズーム位置、望遠端における収差図
【図３】実施例２のズームレンズの広角端のレンズ断面図
【図４】（Ａ）、（Ｂ）、（Ｃ）実施例２の広角端、中間のズーム位置、望遠端における収差図
【図５】実施例３のズームレンズの広角端のレンズ断面図
【図６】（Ａ）、（Ｂ）、（Ｃ）実施例３の広角端、中間のズーム位置、望遠端における収差図
【図７】実施例４のズームレンズの広角端のレンズ断面図
【図８】（Ａ）、（Ｂ）、（Ｃ）実施例４の広角端、中間のズーム位置、望遠端における収差図
【図９】実施例５のズームレンズの広角端のレンズ断面図
【図１０】（Ａ）、（Ｂ）、（Ｃ）実施例５の広角端、中間のズーム位置、望遠端における収差図
【図１１】本発明の撮像装置の要部概略図
【発明を実施するための形態】
【００１４】
以下に本発明の好ましい実施の形態を、添付の図面に基づいて詳細に説明する。本発明のズームレンズは、物体側から像側へ順に、正の屈折力（光学的パワー＝焦点距離の逆数）の第1レンズ群、負の屈折力の第２レンズ群、そして3以上のレンズ群を含む後群より構成されている。第２レンズ群の像側に開口絞りを有する。ズーミングに際しては第2レンズ群と後群中の少なくとも１つのレンズ群が移動することにより、隣り合うレンズ群の間隔が変化する。
【００１５】
図1は、本発明の実施例1のズームレンズの広角端（短焦点距離端）におけるレンズ断面図である。図2（Ａ）、（Ｂ）、（Ｃ）はそれぞれ実施例1のズームレンズの広角端、中間のズーム位置、望遠端（長焦点距離端）における収差図である。図3は、本発明の実施例２のズームレンズの広角端におけるレンズ断面図である。図4（Ａ）、（Ｂ）、（Ｃ）はそれぞれ実施例2のズームレンズの広角端、中間のズーム位置、望遠端における収差図である。図5は、本発明の実施例３のズームレンズの広角端におけるレンズ断面図である。図6（Ａ）、（Ｂ）、（Ｃ）はそれぞれ実施例3のズームレンズの広角端、中間のズーム位置、望遠端における収差図である。
【００１６】
図7は、本発明の実施例４のズームレンズの広角端におけるレンズ断面図である。図8（Ａ）、（Ｂ）、（Ｃ）はそれぞれ実施例4のズームレンズの広角端、中間のズーム位置、望遠端における収差図である。図9は、本発明の実施例５のズームレンズの広角端におけるレンズ断面図である。図10（Ａ）、（Ｂ）、（Ｃ）はそれぞれ実施例5のズームレンズの広角端、中間のズーム位置、望遠端における収差図である。図11は本発明のズームレンズを備えるデジタルスチルカメラ（撮像装置）の要部概略図である。
【００１７】
各実施例のズームレンズはビデオカメラやデジタルスチルカメラ、銀塩フィルムカメラ、ＴＶカメラなどの撮像装置に用いられる撮影レンズ系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。ＬＲは3以上のレンズ群を有する後群である。
【００１８】
ＳＰは開口絞りである。Ｇは光学フィルター、フェースプレート、ローパスフィルター、赤外カットフィルターなどに相当する光学ブロックである。ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。矢印は広角端から望遠端へのズーミング（変倍）に際して、各レンズ群の移動軌跡を示している。
【００１９】
球面収差図において、実線はｄ線（波長５８７．６ｎｍ）、２点鎖線はｇ線（波長４３５．８ｎｍ）である。非点収差図で実線と点線はｄ線におけるサジタル像面とメリディオナル像面である。歪曲収差はｄ線について示している。倍率色収差図において２点鎖線はｇ線である。ＦｎｏはＦナンバー、ωは半画角である。尚、以下の各実施例において広角端と望遠端は変倍用のレンズ群が機構上、光軸上を移動可能な範囲の両端に位置したときのズーム位置をいう。
【００２０】
各実施例はいずれも、物体側から像側へ順に、正の屈折力の第1レンズ群Ｌ1、負の屈折力の第2レンズ群Ｌ2、そして3以上のレンズ群を有する全体として正の屈折力の後群ＬＲを有するズームレンズである。そしてズーミングに際して、隣り合うレンズ群の間隔が変化する。後群ＬＲは、実施例1〜3では、物体側から像側へ順に、負の屈折力の第3レンズ群Ｌ3、正の屈折力の第4レンズ群Ｌ4、正の屈折力の第5レンズ群Ｌ5、正の屈折力の第6レンズ群Ｌ6からなる。そしてズーミングに際して第3レンズ群Ｌ3乃至第6レンズ群Ｌ6が移動する。
【００２１】
また実施例4、5では物体側から像側へ順に、正の屈折力の第3レンズ群Ｌ3、負の屈折力の第4レンズ群Ｌ4、正の屈折力の第5レンズ群Ｌ5からなり、ズーミングに際して第3レンズ群Ｌ3乃至第5レンズ群Ｌ5が移動する。開口絞りＳＰは第2レンズ群Ｌ2の像側に配置されており、ズーミングに際して移動する。
【００２２】
高ズーム比化に適したポジティブリード型のズームレンズではズーミングに伴って広角側ではレトロフォーカスタイプ、望遠端ではテレフォトタイプになる。レトロフォーカスタイプのレンズ構成では、開口絞りＳＰより物体側に配置された、高分散で部分分散比θgFが高い材料より成る正レンズと低分散で部分分散比θgFが低い材料より成る負レンズの瞳近軸光線の入射高が高くなる。このため、1次の色収差補正が達成されている状態では、短波長領域で光線が跳ねあげる効果が強くなり、2次の倍率色収差がオーバー（補正過剰）になる。
【００２３】
テレフォトタイプのレンズ構成では、開口絞りＳＰよりも物体側に配置された、低分散で部分分散比θgFが低い材料より成る正レンズと高分散で部分分散比θgFが高い材料より成る負レンズの瞳近軸光線の入射高が高くなる。このため、1次の色収差補正が達成されている状態では、短波長領域で光線が押し下げられる効果が強くなり、2次の倍率色収差がアンダー（補正不足）になる。これにより、ポジティブリード型のズームレンズでは2次の倍率色収差が広角端でオーバー傾向に、望遠端でアンダー傾向になる。この場合には、瞳近軸光線の入射高が大きく変化する第2レンズ群Ｌ2に部分分散比θgFが高い材料よりなる負レンズを配置するのが良い。
【００２４】
第2レンズ群Ｌ2は広角端においては瞳近軸光線の入射高が高くなるため、倍率色収差への寄与が大きい。このとき、短波長側において屈折率が高い異常部分分散材料の効果によりオーバーとなった2次の倍率色収差を補正することができる。
【００２５】
一方、望遠端においては瞳近軸光線の入射高が低くなるため、倍率色収差への寄与が小さい。このため、異常部分分散材料の効果は小さくなり、2次の倍率色収差がよりアンダーになることは少ない。このようなメカニズムによって、2次の倍率色収差をズーム全域に渡って良好に補正している。例えば特許文献4のネガティブリード型の結像光学系では第2レンズ群Ｌ2に高分散で部分分散比θgFが高い材料よりなる正レンズを用いた例が挙げられている。
【００２６】
正レンズに高分散の材料を用いると1次の色収差補正に有利なレンズ構成になる。しかしながら、正レンズの材料の部分分散比θgFが高いため、先に説明したメカニズムにより、広角端において倍率色収差がオーバー側に悪化してしまう。また特許文献3のポジティブリード型のズームレンズ光学系では第2レンズ群に低分散で部分分散比θgFが高い材料よりなる負レンズを用いた例が挙げられている。しかしながら、低分散性の材料は屈折率が低い。このため、低分散性の材料を用いると像面湾曲などが悪化し、高性能化することが難しい。
【００２７】
高屈折率かつ部分分散比が高い材料を負レンズに用いるレンズ構成であれば像面湾曲の悪化を抑制しながら色収差も改善することができる。しかしながら、高屈折率で部分分散比θgFが高い材料は分散も大きい。このため、前記レンズ構成では1次の色収差が悪化する。1次の色補正を補正するためには第2レンズ群内で組み合わせる正レンズに高分散で部分分散比θgFが高い材料を用いることが必要となる。これにより、結局広角側において２次の倍率色収差がオーバーになるため、特許文献4の結像光学系で用いられている材料では、1次と2次の色補正をバランス良く補正することが難しい。
【００２８】
これに対して各実施例のズームレンズでは、次のように構成している。第2レンズ群Ｌ２に含まれる負の屈折力の屈折光学素子j1の材料のアッベ数と部分分散比を各々νdj1、θgFj1とする。屈折光学素子j1の焦点距離をfj1とする。第2レンズ群の焦点距離をf2とする。屈折光学素子j1の材料の異常部分分散比ΔθgFj1を
ΔθgFj1=θgFj1-(-0.001682νdj1+0.6438)
とする。このとき、
0<θgFj1-(-1.7×10-7×νdj13＋5.3×10-5×νdj12-5.7×10-3×νdj1＋0.76)<0.4
・・・（１）
0.5×10-3<ΔθgFj１/νdj1×f2/fj1<2.0×10-3      ・・・（２）
なる条件を満足するようにしている。
【００２９】
なお、材料のアッベ数νｄと、部分分散比θｇFはフラウンホーファ線のｄ線、Ｆ線、Ｃ線、ｇ線における屈折率をＮｄ、ＮＦ、ＮＣ、Ｎｇとするとき、
νｄ＝（Ｎｄ−１）／（ＮＦ−ＮＣ）
θｇＦ＝（Ｎｇ−ＮＦ）／（ＮＦ−ＮＣ）
で定義される。
【００３０】
そこで、各実施例では条件式（１）を満足する部分分散比θgFが高い材料を用いている。これにより、1次の色収差が悪化する効果に比べて2次の色収差を補正する効果が大きくなるようにしている。1次の色消しのために正レンズに高分散で部分分散比θgFが高い材料を用いたとしても、負レンズの材料の部分分散比θgFが十分に大きければ2次の色収差を小さくすることができる。
【００３１】
条件式（１）、（２）は上記理由を鑑みて設定されたものであり、屈折光学素子に必要な材料特性と適切な屈折力を設定するものである。条件式（１）の下限を下回ると２次の色消し能力が低下し、２次の色収差による光学系の性能悪化が大きくなる。条件式（２）の下限を下回る範囲で用いても前記光学素子による十分な効果を得ることはできない。条件式（２）の上限を上回る範囲で用いた場合には2次の色収差が補正過剰になる。この場合、1次の色収差補正と2次の色収差補正を両立することが難しくなるため望ましくない。条件式（１）、（２）はさらに好ましくは次の如く設定するのが良い。
【００３２】
0.05<θgFj1-(-1.7×10-7×νdj13＋5.3×10-5×νdj12-5.7×10-3×νdj1＋0.76)<0.3
・・・（１ａ）
0.6×10-3<ΔθgFj１/νdj1×f2/fj1<1.9×10-3                  ・・・（２ａ）
以上の条件を満たすとズーム全域に渡る２次の色収差の変動の補正がより容易になる。各実施例において更に好ましくは、次の諸条件のうち１以上を満足するのが良い。
【００３３】
第1レンズ群Ｌ1に含まれる正の屈折力の屈折光学素子j2の材料のアッベ数と部分分散比を各々νdj2、θgFj2、屈折光学素子j2の焦点距離をfj2とする。第2レンズ群Ｌ2に含まれる負の屈折力の屈折光学素子ｊ3のアッベ数をνdj3、屈折光学素子j3の焦点距離をfj3とする。このとき、
65<νdj2<100                                       ・・・（３）
0<θgFj2-(-1.6×10-3×νdj2+0.64)<0.4               ・・・（４）
-1.3<fj2/fj1<-0.6                                  ・・・（５）
50<νdj3<100                                       ・・・（６）
0.1<(fj3/fj1)<0.4                                  ・・・（７）
なる条件式のうち１以上を満足するのが良い。
【００３４】
条件式（３）〜（５）は望遠側において２次の倍率色収差を補正することで更に解像力を向上させるなど光学性能を高めるためのものである。第１レンズ群Ｌ１は望遠側において近軸光線の入射高・瞳近軸光線の入射高が共に高いので望遠側において倍率色収差を補正するのに好適である。さらに、部分分散比が高い屈折光学素子j1を第２レンズ群Ｌ２に用いた場合、２次の軸上色収差も悪化する傾向にある。これを抑制するためにも第１レンズ群Ｌ１に屈折光学素子j2を配置することは有効である。開口絞りＳＰより像側のレンズ群に配置した場合には、倍率色収差と軸上色収差の補正効果が相反するため補正が困難となる。
【００３５】
条件式（３）よりも高分散な材料を用いると望遠側において色収差を補正するのが困難になる。条件式（３）よりも低分散な材料は一般に屈折率が低く、他の収差の補正が困難となるため望ましくない。条件式（４）よりも部分分散比の小さな材料を用いた場合には望遠側において２次の色収差を補正するのが困難になる。
【００３６】
一般に、条件式（３）、（４）を満たす光学材料は屈折率が低い。このため、条件式（５）の下限を下回る範囲で用いた場合には特に像面湾曲が悪化するため良くない。条件式（５）の上限を上回る範囲で用いた場合には十分な補正効果を出すことは困難である。条件式（３）、（４）、（５）はさらに好ましくは次の如く設定するのが良い。
【００３７】
65<νdj2<85                                  ・・・（３ａ）
0.01<θgFj2-(-1.6×10-3×νdj2+0.64)<0.1      ・・・（４ａ）
-1.8<fj2/fj1<-0.5                            ・・・（５ａ）
条件式（６）、（７）は第2レンズ群Ｌ2内で1次の色消しを良好に行うためのものである。条件式（６）よりも高分散な材料を用いても1次の色消し能力を抑制することが困難である。条件式（６）よりも低分散な材料は一般に屈折率が低く、他の収差の補正が困難となるため望ましくない。
【００３８】
条件式（７）の上限を上回る範囲で用いても1次の色消し能力を抑制することが困難である。条件式（７）の下限を下回る範囲で用いると屈折光学素子j1のパワーが弱くなり、2次の色消し効果が小さくなるので良くない。条件式（６）、（７）はさらに好ましくは次の如く設定するのが良い。
【００３９】
53.0<νdj3<85.0                            ・・・（６ａ）
0.10<(fj3/fj1)<0.38                        ・・・（７ａ）
次に各実施例のレンズ構成について説明する。
【００４０】
［実施例1］
図1に示す実施例1は物体側から像側へ順に、正、負、負、正、正、正の屈折力の第1乃至第6レンズ群Ｌ1乃至Ｌ6により構成されたズームレンズである。物体側から像側へ順に、正、負の屈折力のレンズ群構成とすることで高ズーム比化を実現している。
【００４１】
本実施例のズームレンズでは、広角端から望遠端へのズーミングに際して、図１中に矢印で示すように第2レンズ群Ｌ2乃至第6レンズ群Ｌ6を移動させる。第1レンズ群Ｌ1はズーミングのためには不動である。具体的には第2レンズ群Ｌ2は像側へ移動する。第3レンズ群Ｌ3は物体側に凸状の軌跡で移動する。開口絞りＳＰを含む第4レンズ群Ｌ4は物体側に凸状の軌跡で移動する。第5レンズ群Ｌ5は物体側へ移動する。第6レンズ群Ｌ6は物体側へ移動する。
【００４２】
本実施例では後群ＬＲの第3レンズ群乃至第6レンズ群を全て移動させている。本実施例のズームレンズでは条件式（１）、（２）式を満たす屈折光学素子ｊ１を第2レンズ群Ｌ2に配置している。第2レンズ群Ｌ2は広角端から望遠端へのズーミングに際して瞳近軸光線の入射高が低くなる。このため、第2レンズ群Ｌ2に部分分散比が大きい材料より成る屈折光学素子を負のパワー（屈折力）として配置することで2次の倍率色収差を補正している。
【００４３】
さらに、第1レンズ群Ｌ1に条件式（３）、（４）、（５）を満たす屈折光学素子ｊ2を配置することで望遠側において色収差を低減している。さらに、第2レンズ群Ｌ2に条件式（６）、（７）式を満たす屈折光学素子ｊ3を配置することで1次のズーミングに伴う変動を抑制している。
【００４４】
［実施例2］
図3に示す実施例2は実施例1とほぼ同様のレンズ構成の物体側から像側へ順に、正、負、負、正、正、正の屈折力の第1乃至第6レンズ群Ｌ1乃至Ｌ6により構成されたズームレンズである。実施例2は実施例1と同様の構成とすることでズーミングに伴う2次の倍率色収差の変動を抑制している。
【００４５】
［実施例3］
図5に示す実施例3は実施例１とほぼ同様のレンズ構成の物体側から像側へ順に、正、負、負、正、正、正の屈折力の第1乃至第6レンズ群Ｌ1乃至Ｌ6により構成されたズームレンズである。実施例3は実施例1と同様の構成とすることでズーミングに伴う2次の倍率色収差の変動を抑制している。
【００４６】
［実施例4］
図7に示す実施例4は物体側から像側へ順に、正、負、正、負、正の屈折力の第1乃至第5レンズ群Ｌ1乃至Ｌ5により構成されたズームレンズである。本実施例のズームレンズでは、広角端から望遠端へのズーミングに際して、図7中に矢印で示すように各レンズ群を移動させる。第1レンズ群Ｌ1は物体側へ移動する。第2レンズ群Ｌ2は像側に凸状の軌跡で移動する。第3レンズ群Ｌ3と第4レンズ群Ｌ4と第5レンズ群Ｌ5はいずれも物体側へ移動する。開口絞りＳＰは第2レンズ群Ｌ2と第3レンズ群Ｌ3の間にあり、独立して物体側へ移動する。
【００４７】
本実施例では後群ＬＲの第3レンズ群乃至第5レンズ群を全て移動させている。実施例4では条件式（１）乃至（７）を満足するように構成することでズーミングに伴う2次の倍率色収差の変動を抑制している。
【００４８】
［実施例5］
図9に示す実施例5は実施例4と同様、物体側から像側へ順に、正、負、正、負、正の屈折力の第1乃至第5レンズ群Ｌ1乃至Ｌ5により構成されたズームレンズである。本実施例のズームレンズでは、広角端から望遠端へのズーミングに際して、図9中に矢印で示すように各レンズ群を移動させる。第1レンズ群Ｌ1と第2レンズ群Ｌ2は物体側へ移動する。開口絞りＳＰを含む第3レンズ群Ｌ3、第4レンズ群Ｌ4、第5レンズ群Ｌ5はいずれも物体側へ移動する。実施例5では条件式（１）乃至（７）を満足するように構成することでズーミングに伴う2次の倍率色収差の変動を抑制している。
【００４９】
次に各実施例において第2レンズ群Ｌ2中の負の屈折力の屈折光学素子ｊ1、第1レンズ群Ｌ1中の正の屈折力の屈折光学素子ｊ2、第2レンズ群Ｌ2中の負の屈折力の屈折光学素子ｊ3の具体的なレンズを表−１に示す。表では、屈折光学素子ｊ1、ｊ2、ｊ3を数値実施例の物体側からの開始面番号で示している。
【００５０】
【表１】
0005661490.tif 000002
【００５１】
以上、本発明の好ましい実施形態について説明したが、本発明はこれらの実施形態に限定されず、その要旨の範囲内で種々の変形及び変更が可能である。
【００５２】
以下、数値実施例1〜5の具体的な数値データを示す。各数値実施例において、ｉは物体側から数えた順序を示し、ｒｉは第ｉ番目の光学面（第ｉ面）の曲率半径である。ｄｉは第ｉ面と第（ｉ＋1）面との間の軸上間隔である。ｎｄｉ，νｄｉはそれぞれｄ線に対する第ｉ番目（樹脂や微粒子分散材料で形成されたレンズ（層）は除く）の光学部材の材料の屈折率である。アッベ数を示す。また、非球面形状は、Ｘを光軸方向の面頂点からの変位量、ｈを光軸と垂直な方向の光軸からの高さ、ｒを近軸曲率半径、ｋを円錐定数、Ａ4，Ａ6，Ａ8，Ａ10，Ａ12…を各次数の非球面係数とするとき、
【００５３】
【数１】
0005661490.tif 000003
【００５４】
で表す。なお、各非球面係数における「ｅ±ＸＸ」は「×１０±ＸＸ」を意味している。画角は半画角の値（度）で示している。ＢＦはバックフォーカスであり、ガラスブロックの最終面から近軸像面までの距離で示している。レンズ全長はレンズ最前面からガラスブロックの最終面までの距離にバックフォーカス（ＢＦ）を加えた値で示している。また、前記条件式と各数値実施例との関係を表２に示す。表２において「Ｅ−ｘ」は「×１０-x」を意味している。
【００５５】
（数値実施例１）
単位 mm
面データ
面番号       r        d      nd        νd       有効径        θgF
1        194.131    3.80   1.74320    49.3      145.46       0.5530
2         89.363   23.97                        126.00
3        691.989    3.30   1.69680    55.5      125.33       0.5433
4        143.254   23.57                        118.29
5       -227.537    3.20   1.65160    58.5      117.40       0.5426
6        518.720    0.20                        118.00
7        203.761   11.24   1.90200    25.1      119.27       0.6117
8      -4800.252    4.54                        118.93
9       -568.713    5.54   1.43387    95.1      118.27       0.5373
10       -312.827    1.90                        117.71
11       10114.999   20.47   1.49700    81.5      114.51      0.5374
12        -98.221    3.60   1.73800    32.3      114.26       0.5899
13       -147.653   18.03                        115.18
14        316.358    3.80   1.72342    38.0      104.03       0.5836
15         94.122   16.99   1.49700    81.5       99.72       0.5374
16      -1630.001    0.20                         99.38
17        146.420   16.04   1.43387    95.1       97.77       0.5373
18       -213.896    0.20                         97.25
19        138.660    5.52   1.59282    68.6       92.59       0.5446
20        245.206  (可変)                         91.70
21*       793.648    2.00   1.59282    68.6       48.06       0.5446
22         43.745    0.50   1.61937    19.2       41.79       0.7478
23         35.432   10.04                         40.43
24        -59.368    2.00   1.59282    68.6       40.32       0.5446
25        112.755    3.66                         39.68
26       -131.234    2.70   1.69895    30.1       39.71       0.6029
27        -90.627    2.00   1.49700    81.5       40.04       0.5374
28        405.838    0.20                         40.66
29         98.561    4.60   1.84666    23.8       41.12       0.6205
30       -812.569  (可変)                         40.98    
31       -103.680    1.70   1.78800    47.4       34.55       0.6029
32        224.901    2.90   1.84666    23.9       35.49       0.5374
33      -1478.278  (可変)                         35.97
34(絞り)    ∞       1.50                         36.82
35*        81.008    7.20   1.66672    48.3       38.33
36        -69.499    2.00   1.49700    81.5       38.47
37         40.073    0.55                         38.53
38         41.126    8.73   1.49700    81.5       38.84
39       -105.657    1.80   1.80400    46.6       38.87
40       -224.863  (可変)                         39.08
41       2657.404    5.68   1.80809    22.8       42.92
42        -66.118    0.20                         43.13
43        -87.856    2.00   1.90200    25.1       42.67
44         50.774    8.93   1.49700    81.5       43.09
45       -120.420    0.20                         43.78
46        251.215    3.00   1.80809    22.8       44.76
47      -1608.768  (可変)                         44.91
48         65.187   11.00   1.49700    81.5       45.55
49        -55.325    1.80   1.90200    25.1       45.22
50        417.556    0.20                         45.71
51        155.828    6.69   1.80809    22.8       46.00
52        -91.498  (可変)                         45.99
53          ∞      50.00   1.69680    55.5       39.62
54          ∞      19.00   1.51633    64.1       26.31
55          ∞      10.08                         20.64
像面        ∞   
【００５６】
非球面データ
第21面
K =-2.07284e+003  A 4= 5.75534e-007  A 6=-1.00795e-009  A 8= 3.91571e-013  
第35面
K =-5.61247e+000  A 4= 3.13222e-007  A 6=-2.37871e-010  A 8=-3.63131e-014  
各種データ
ズーム比     11.50 
広角     中間     望遠
焦点距離      10.24    23.25   117.76  
Fナンバー      1.84     1.87     2.05  
画角          37.99    18.99     3.89  
像高           8.00     8.00     8.00  
レンズ全長   545.50   545.50   545.50  
BF            10.08    10.08    10.08  
d20            4.89    59.09   123.71  
d30          135.54    57.04     7.24  
d33            1.98    11.70     1.96  
d40           52.63    54.51    45.42  
d47            0.53    10.14    14.61  
d52           10.93    14.04    13.57  
入射瞳位置    95.64   145.78   365.78  
射出瞳位置   294.51   205.14   268.35  
前側主点位置 106.25   171.80   537.23  
後側主点位置  -0.16   -13.16  -107.68  
ズームレンズ群データ
群  始面    焦点距離  レンズ構成長  前側主点位置  後側主点位置
1    1     112.19       166.12       117.84         66.95
2   21     -38.91        27.70         3.08        -19.88
3   31    -148.06         4.60        -0.25         -2.78
4   34      92.07        21.78         4.03        -10.75
5   41     413.63        20.02        22.09         10.33
6   48      84.85        19.69         6.94         -5.91
G   53       ∞          69.00        21.00        -21.00
単レンズデータ
レンズ  始面  焦点距離
1       1   -226.30
2       3   -259.90
3       5   -242.32
4       7    216.93
5       9    1592.03
6      11    195.86
7      12   -410.22
8      14   -186.55
9      15    179.63
10      17    203.07
11      19    528.12
12      21    -78.17
13      22   -308.12
14      24    -65.32
15      26    407.88
16      27   -148.86
17      29    104.06
18      31    -89.85
19      32    230.74
20      35     57.20
21      36    -50.83
22      38     60.76
23      39   -249.57
24      41     79.91
25      43    -35.43
26      44     73.13
27      46    269.08
28      48     62.10
29      49    -54.06
30      51     72.21
【００５７】
（数値実施例２）
単位 mm
面データ
面番号       r        d      nd        νd       有効径            θgF
1        194.411    3.80   1.74320    49.3      144.80           0.5530
2         89.267   23.98                        125.49
3        706.895    3.30   1.69680    55.5      124.72           0.5433
4        144.405   23.59                        117.81
5       -227.797    3.20   1.65160    58.5      116.83           0.5426
6        509.567    0.20                        117.43
7        203.922   11.28   1.90200    25.1      118.69           0.6117
8      -4622.150    4.44                        118.33
9       -570.929    5.54   1.43387    95.1      117.69           0.5373
10       -312.702    1.90                        117.13
11       10274.349   20.39   1.49700    81.5      113.85          0.5374
12        -98.013    3.60   1.73800    32.3      113.57           0.5899
13       -147.595   18.04                        114.50
14        317.091    3.80   1.72342    38.0      103.43           0.5836
15         94.216   16.86   1.49700    81.5       99.18           0.5374
16      -1657.865    0.20                         98.82
17        146.199   16.09   1.43387    95.1       97.80           0.5373
18       -214.485    0.20                         97.62
19        139.206    5.52   1.59282    68.6       92.96           0.5446
20        244.972  (可変)                         92.07
21*       806.475    2.00   1.59282    68.6       47.91           0.5446
22         41.000    0.50   1.619370   19.2       41.42           0.7478
23         35.300   10.37                         40.33
24        -59.789    2.00   1.59282    68.6       39.96           0.5446
25        110.752    3.62                         39.33
26       -133.827    2.70   1.69895    30.1       39.36           0.6029
27       -102.475    2.00   1.49700    81.5       39.73           0.5374
28        687.707    0.20                         40.31
29        100.992    4.60   1.84666    23.8       40.77           0.6205
30       -909.118  (可変)                         40.62
31       -103.943    1.70   1.78800    47.4       34.60           0.5559
32        241.176    2.90   1.84666    23.9       35.53           0.6217
33      -1088.364  (可変)                         36.01
34(絞り)    ∞       1.50                         36.94
35*        81.024    7.20   1.66672    48.3       38.43
36        -69.433    2.00   1.49700    81.5       38.56
37         39.997    0.58                         38.56
38         41.040    8.73   1.49700    81.5       38.88
39       -105.935    1.80   1.80400    46.6       38.90
40       -237.888  (可変)                         39.10
41       2387.345    5.68   1.80809    22.8       42.79
42        -66.200    0.20                         43.00
43        -87.020    2.00   1.90200    25.1       42.55
44         51.021    8.93   1.49700    81.5       42.97
45       -118.510    0.20                         43.68
46        254.590    3.00   1.80809    22.8       44.66
47      -1553.707  (可変)                         44.82
48         65.418   11.00   1.49700    81.5       45.52
49        -55.197    1.80   1.90200    25.1       45.19
50        421.770    0.20                         45.71
51        154.807    6.69   1.80809    22.8       46.02
52        -91.413  (可変)                         46.01
53          ∞      50.00   1.69680    55.5       39.59
54          ∞      19.00   1.51633    64.1       26.28
55          ∞      9.99                          20.61
像面        ∞     
【００５８】
非球面データ
第21面
K =-2.09799e+003  A 4= 5.73584e-007  A 6=-9.60615e-010  A 8= 3.70176e-013  
第35面
K =-5.53086e+000  A 4= 3.15890e-007  A 6=-2.20906e-010  A 8=-5.55704e-014  
各種データ
ズーム比     11.50 
広角     中間     望遠
焦点距離      10.26    19.14   118.00  
Fナンバー      1.84     1.87     2.05  
画角          37.94    22.69     3.88  
像高           8.00     8.00     8.00  
レンズ全長   544.21   544.21   544.21  
BF             9.99     9.99     9.99  
d20            5.00    48.05   124.74  
d30          134.04    70.34     3.78  
d33            2.16    10.55     3.56  
d40           51.98    53.93    45.00  
d47            1.00     9.06    14.60  
d52           11.00    13.24    13.49  
入射瞳位置    95.54   131.34   362.43  
射出瞳位置   297.22   213.99   271.31  
前側主点位置 106.17   152.27   533.68  
後側主点位置  -0.27    -9.15  -107.99  
ズームレンズ群データ
群  始面    焦点距離  レンズ構成長  前側主点位置  後側主点位置
1    1     112.95       165.93       118.06         67.49
2   21     -38.77        27.99         3.20        -20.02
3   31    -152.82         4.60        -0.34         -2.86
4   34      93.48        21.81         3.87        -10.91
5   41     412.98        20.02        22.16         10.41
6   48      84.71        19.69         6.96         -5.88
G   53       ∞          69.00        21.00        -21.00
単レンズデータ
レンズ  始面  焦点距離
1       1   -225.57
2       3   -261.07
3       5   -241.18
4       7    216.76
5       9    1583.22
6      11    195.47
7      12   -407.92
8      14   -186.63
9      15    179.95
10      17    203.12
11      19    533.51
12      21    -72.94
13      22   -424.18
14      24    -65.21
15      26    604.42
16      27   -179.30
17      29    107.58
18      31    -91.98
19      32    233.42
20      35     57.18
21      36    -50.75
22      38     60.72
23      39   -238.99
24      41     79.79
25      43    -35.41
26      44     73.04
27      46    270.89
28      48     62.12
29      49    -54.02
30      51     72.00
【００５９】
（数値実施例３）
単位 mm
面データ
面番号       r        d      nd        νd       有効径            θgF
1        195.383    3.80   1.74320    49.3      143.93           0.5530
2         88.065   24.76                        124.49
3        770.513    3.30   1.69680    55.5      123.36           0.5433
4        139.820   22.05                        116.52
5       -225.055    3.20   1.65160    58.5      116.12           0.5426
6        531.264    0.20                        117.14
7        202.552   11.51   1.90200    25.1      118.72           0.6117
8      -2848.156    4.29                        118.41
9       -541.708    5.54   1.43387    95.1      117.84           0.5373
10       -305.166    1.90                        117.34
11          ∞      20.50   1.49700    81.5      114.14           0.5374
12        -98.503    3.60   1.73800    32.3      113.45           0.5899
13       -145.857   22.77                        113.69
14        317.012    3.80   1.72342    38.0      100.94           0.5836
15         94.373   16.97   1.49700    81.5       97.39           0.5374
16      -1523.805    0.20                         97.79
17        145.693   16.68   1.43387    95.1       99.69           0.5373
18       -214.060    0.20                         99.52
19        139.178    5.81   1.59282    68.6       94.57           0.5446
20        254.681  (可変)                         93.67
21*      1199.135    2.00   1.59282    68.6       45.73           0.5446
22         56.000    0.50   1.61937    19.2       40.85           0.7478
23         34.800    9.81                         38.67
24        -54.192    2.00   1.59282    68.6       38.40           0.5446
25         89.921    5.18                         37.93
26       -143.322    2.70   1.69895    30.1       38.22           0.6029
27        -92.651    2.00   1.49700    81.5       38.62           0.5374
28        542.666    0.20                         39.38
29        105.168    4.60   1.84666    23.8       39.90           0.6205
30       -279.647  (可変)                         39.86
31       -104.337    1.70   1.78800    47.4       34.14
32        216.161    2.90   1.84666    23.9       35.06
33       -841.671  (可変)                         35.52
34(絞り)    ∞       1.50                         37.05
35*        78.603    7.20   1.66672    48.3       38.52
36        -75.594    2.00   1.49700    81.5       38.62
37         39.839    0.79                         38.48
38         41.367    8.73   1.49700    81.5       38.90
39       -101.796    1.80   1.80400    46.6       38.90
40       -254.594  (可変)                         39.09
41       1876.700    5.68   1.80809    22.8       42.41
42        -65.792    0.20                         42.62
43        -85.558    2.00   1.90200    25.1       42.19
44         51.288    8.93   1.49700    81.5       42.61
45       -115.293    0.20                         43.34
46        254.253    3.00   1.80809    22.8       44.30
47      -2366.247  (可変)                         44.45
48         64.755   11.00   1.49700    81.5       45.15
49        -54.022    1.80   1.90200    25.1       44.82
50        423.189    0.20                         45.37
51        150.873    6.69   1.80809    22.8       45.69
52        -91.538  (可変)                         45.68
53          ∞      50.00   1.69680    55.5       39.35
54          ∞      19.00   1.51633    64.1       26.17
55          ∞      10.00                         20.56
像面        ∞   
【００６０】
非球面データ
第21面
K =-3.67025e+003  A 4= 7.57894e-007  A 6=-8.83997e-010  A 8= 2.46028e-013  
第35面
K =-5.20666e+000  A 4= 4.49636e-007  A 6=-2.19653e-010  A 8=-2.47346e-014  
各種データ
ズーム比     11.50 
広角     中間     望遠
焦点距離      10.26    28.86   118.00  
Fナンバー      1.84     1.87     2.05  
画角          37.94    15.50     3.88  
像高           8.00     8.00     8.00  
レンズ全長   544.68   544.68   544.68  
BF             9.99     9.99     9.99  
d20            5.00    70.77   123.25  
d30          126.78    31.35     3.21  
d33            3.75    18.50     2.00  
d40           51.74    54.65    45.00  
d47            1.00     9.82    13.39  
d52           11.00    14.18    12.41  
入射瞳位置    94.96   160.20   354.79  
射出瞳位置   297.32   201.40   278.95  
前側主点位置 105.59   193.41   524.43  
後側主点位置  -0.28   -18.87  -107.94  
ズームレンズ群データ
群  始面    焦点距離  レンズ構成長  前側主点位置  後側主点位置
1    1     108.84       171.10       118.27         67.81
2   21     -39.52        28.99         1.59        -23.87
3   31    -159.88         4.60        -0.45         -2.98
4   34      96.88        22.02         3.65        -11.34
5   41     417.84        20.02        21.97         10.19
6   48      84.37        19.69         6.93         -5.92
G   53       ∞          69.00        21.00        -21.00
単レンズデータ
レンズ  始面  焦点距離
1       1   -219.04
2       3   -245.67
3       5   -242.21
4       7    210.03
5       9    1599.43
6      11    198.11
7      12   -424.84
8      14   -187.09
9      15    179.44
10      17    202.65
11      19    508.15
12      21    -99.16
13      22   -149.77
14      24    -56.75
15      26    366.90
16      27   -159.07
17      29     90.77
18      31    -89.09
19      32    203.40
20      35     58.90
21      36    -52.19
22      38     60.41
23      39   -212.08
24      41     78.76
25      43    -35.31
26      44     72.72
27      46    284.25
28      48     61.14
29      49    -53.02
30      51     71.38
【００６１】
（数値実施例４）
単位 mm
面データ
面番号       r        d      nd         νd      有効径            θgF
1        316.753    2.24   1.80518    25.4      102.40            0.6161
2        130.440   13.29   1.56907    71.3       95.67            0.5451
3      -9313.789    0.19                         91.74
4         98.992    8.96   1.43875    94.9       76.68            0.5343
5        633.886    0.19                         73.24
6         58.633    9.54   1.43875    94.9       62.79            0.5343
7        163.605  (可変)                         60.05
8*       157.406    1.92   1.59282    68.6       41.56            0.5446
9         18.953    7.74                         28.90
10        258.048    1.12   1.59282    68.6       27.02            0.5446
11         32.714    0.32   1.61937    19.2       24.51            0.7478
12         25.247    3.55                         23.79
13        316.365    1.28   1.72916    54.7       23.28            0.5444
14         34.154    0.24                         22.14
15         25.467    7.75   1.80809    22.8       21.98            0.6307
16        219.163    0.63                         19.15
17       -244.972    1.60   1.72916    54.7       18.93            0.5444
18        143.560  (可変)                         17.98
19(絞り)    ∞     (可変)                         15.45
20         38.552    1.28   1.90270    31.0       16.93
21         30.234    4.16   1.45000    70.2       16.80
22       -194.073    0.24                         16.98
23         72.417    6.88   1.56963    70.0       17.03
24        -18.959    1.44   1.86687    40.0       17.76
25        -33.160  (可変)                         18.72
26        -88.262    4.22   1.84666    23.8       19.27
27        -32.635    1.28   1.76200    40.1       20.05
28        175.443   13.92                         20.78
29        -45.452    1.92   1.60311    60.6       26.72
30       -161.238  (可変)                         28.53
31        203.416    9.24   1.43875    94.9       37.78
32*       -37.372    0.19                         39.30
33         63.849   13.54   1.43875    94.9       41.40
34        -40.250    3.36   1.74950    35.3       41.19
35       -113.706  (可変)                         42.38
像面        ∞   
【００６２】
非球面データ
第8面
K =-2.85174e+001  A 4=-1.81277e-006  A 6= 2.28762e-009  A 8=-3.85154e-012  A10= 2.83005e-015  A12= 9.55612e-019  
第32面
K =-1.70012e+000  A 4=-1.61311e-006  A 6= 3.66797e-010  A 8= 7.38365e-012  A10=-1.54765e-014  A12= 8.38691e-018  
各種データ
ズーム比      4.67 
広角     中間     望遠
焦点距離      28.21    56.11   131.85  
Fナンバー      4.12     4.89     5.77  
画角          37.48    21.09     9.32  
像高          21.64    21.64    21.64  
レンズ全長   224.00   242.67   266.43  
BF            55.79    70.40    82.95  
d 7            1.38    20.40    42.67  
d18           19.89    12.30     4.61  
d19           13.42     6.05     2.69  
d25            1.18     5.70    10.25  
d30           10.10     5.58     1.01  
d35           55.79    70.40    82.95  
入射瞳位置    54.85   101.91   212.36  
射出瞳位置  -1142.27  -196.36  -123.10  
前側主点位置  82.40   146.21   259.85  
後側主点位置  27.57    14.29   -48.90  
ズームレンズ群データ
群  始面    焦点距離  レンズ構成長  前側主点位置  後側主点位置
1    1     107.20        34.42        10.01        -12.89
2    8     -18.43        26.16         5.56        -12.79
SP  19       ∞           0.00         0.00         -0.00
3   20      36.36        14.00         4.90         -4.64
4   26     -44.29        21.34         7.26         -9.66
5   31      51.50        26.33         6.00        -12.20
単レンズデータ
レンズ  始面  焦点距離
1       1   -276.91
2       2    226.17
3       4    266.02
4       6    202.66
5       8    -36.54
6      10    -63.31
7      11   -181.57
8      13    -52.61
9      15     35.03
10      17   -123.92
11      20   -167.46
12      21     58.47
13      23     27.12
14      24    -53.59
15      26     59.10
16      27    -36.01
17      29   -105.61
18      31     72.81
19      33     58.59
20      34    -84.79
【００６３】
（数値実施例５）
単位 mm
面データ
面番号       r        d      nd         νd       有効径          θgF
1        131.487    3.19   1.84666    23.8       84.36           0.6205
2         91.088   13.76   1.49700    81.5       80.76           0.5374
3       -917.791    0.28                         79.17
4         83.177    7.18   1.56907    71.3       72.03           0.5451
5        191.287  (可変)                         70.17
6*        73.030    0.07   1.51742    52.4       40.26           0.5564
7         77.767    1.88   1.72916    54.7       40.18           0.5444
8         19.799    9.80                         29.97
9        -63.927    1.61   1.77250    49.6       28.20           0.5521
10         91.842    0.32   1.61937    19.2       26.57           0.7478
11         49.795    0.21                         26.13
12         29.437    7.18   1.84666    23.8       25.69           0.6205
13        -53.513    0.63                         23.95
14        -39.182    1.42   1.83481    42.7       23.42           0.5642
15         53.633  (可変)                         21.35
16(絞り)    ∞       0.87                         22.08
17         42.969    1.29   1.80518    25.4       23.23
18         24.170    6.76   1.49700    81.5       23.21
19        -70.641    0.10                         23.84
20*        41.273    4.93   1.48749    70.2       24.33
21       -130.825  (可変)                         24.09
22       -104.845    2.93   1.84666    23.8       23.70
23        -26.456    0.96   1.75700    47.8       23.81
24         70.908  (可変)                         24.30
25        -23.037    1.45   1.77250    49.6       24.60
26        -33.297  (可変)                         26.40
27         64.945    8.14   1.58313    59.4       30.18
28*       -30.906    0.24                         30.80
29        139.584    9.07   1.48749    70.2       29.90
30        -24.498    1.52   1.80100    35.0       29.42
31       -569.768  (可変)                         30.31
像面        ∞   
【００６４】
非球面データ
第6面
K = 0.00000e+000  A 4=-1.87017e-006  A 6= 4.30515e-009  A 8=-2.20373e-011  A10= 5.73701e-014  A12=-4.03876e-017  
第20面
K = 0.00000e+000  A 4= 1.13609e-006  A 6=-6.20657e-010  A 8= 9.23654e-012  A10=-1.72976e-014  
第28面
K =-6.36581e-001  A 4= 1.61737e-006  A 6= 7.30426e-010  A 8=-4.62842e-012  A10= 3.46015e-016  A12=-1.12167e-018  
各種データ
ズーム比     10.31 
広角     中間     望遠
焦点距離      29.77    93.64   307.06  
Fナンバー      3.31     4.71     5.85  
画角          36.00    13.01     4.03  
像高          21.64    21.64    21.64  
レンズ全長   209.34   263.66   304.01  
BF            61.72    89.40   106.84  
d 5            2.75    46.02    81.01  
d15           34.30    17.70     5.62  
d21            7.47    14.85    18.83  
d24            4.50     4.59     5.26  
d26           12.83     5.34     0.69  
d31           61.72    89.40   106.84  
入射瞳位置    49.91   165.46   444.43  
射出瞳位置  -105.51   -73.09   -59.23  
前側主点位置  74.38   205.14   183.72  
後側主点位置  31.95    -4.24  -200.22  
ズームレンズ群データ
群  始面    焦点距離  レンズ構成長  前側主点位置  後側主点位置
1    1     142.35        24.41         4.31        -11.53
2    6     -19.20        23.11         7.05         -8.05
3   16      36.39        13.95         5.33         -4.47
4   22     -64.59         3.89         1.12         -0.99
5   25    -103.14         1.45        -1.96         -2.83
6   27      46.36        18.96        -0.26        -11.80
単レンズデータ
レンズ  始面  焦点距離
1       1   -363.30
2       2    167.49
3       4    252.53
4       6    2306.18
5       7    -36.93
6       9    -48.57
7      10   -176.12
8      12     23.36
9      14    -26.93
10      17    -70.78
11      18     37.11
12      20     64.97
13      22     41.09
14      23    -25.35
15      25   -103.14
16      27     37.07
17      29     43.54
18      30    -32.00
【００６５】
【表２】
0005661490.tif 000004
【００６６】
図１１は各実施例のズームレンズを用いたデジタルスチルカメラの要部概略図である。図１１において、２０はカメラ本体、２１は各実施例で説明したいずれかのズームレンズによって構成された撮影光学系である。２２はカメラ本体２０に内蔵され、撮影光学系２１によって形成された被写体像を受光するＣＣＤセンサやＣＭＯＳセンサ等の固体撮像素子（光電変換素子）である。この他、各実施例のズームレンズのうち、例えば実施例１〜３のズームレンズは、ＴＶカメラ等の像側に色分解光学系等の撮像装置に良好に適用することができる。
【符号の説明】
【００６７】
Ｌ1  第1レンズ群    Ｌ2  第2レンズ群    Ｌ3  第3レンズ群
Ｌ4  第4レンズ群    Ｌ5  第5レンズ群    Ｌ6  第6レンズ群    ＬＰ  後群
ＳＰ  絞り    ＩＰ  像面    Ｇ  ガラスブロック
【図１】
0005661490.tif 000005
【図２】
0005661490.tif 000006
【図３】
0005661490.tif 000007
【図４】
0005661490.tif 000008
【図５】
0005661490.tif 000009
【図６】
0005661490.tif 000010
【図７】
0005661490.tif 000011
【図８】
0005661490.tif 000012
【図９】
0005661490.tif 000013
【図１０】
0005661490.tif 000014
【図１１】
0005661490.tif 000015